【事件の表示】
　特許第２８９９０３９号「一眼レフカメラ」の特許に対する特許異議の申立てについて、次のとおり決定する。
【結　論】
　訂正を認める。
　特許第２８９９０３９号の請求項１ないし４に係る特許を維持する。
【理　由】
（１）手続きの経緯
　本件特許第２８９９０３９号発明は、平成２年２月１４日に特許出願され、平成１１年３月１２日にその発明の特許がなされ、その後、旭光学工業　株式会社より特許異議の申立てがなされ、取消理由通知がなされ、その指定期間内である平成１２年４月２４日に訂正請求がなされたものである。
（２）訂正の適否についての判断
（ｉ）特許請求の範囲の訂正
ア.訂正明細書の請求項１に係る発明
　訂正明細書の請求項１に係る発明は、その特許請求の範囲の請求項１に特定された次のとおりのものである。
　「（１）撮影レンズの取付座、可動ミラーを支持するミラー取付部、カメラ本体への取付部が形成されるミラーボックスを有する一眼レフカメラにおいて、前記ミラーボックスをプラスチックによって一体成形するとともに、前記ミラー取付部が形成される側面上端部分に、前記ミラーの反射光をファインダー観察位置へ導くための光学部品を保持する壁部を形成し、前記取付部が三脚ネジ座の取り付けられるカメラ本体と結合されることを特徴とする一眼レフカメラ。」
イ.訂正明細書の請求項２に係る発明
　訂正明細書の請求項２に係る発明は、その特許請求の範囲の請求項２に特定された次のとおりのものである。
　「（２）撮影レンズの取付座、可動ミラーを支持するミラー取付部、カメラ本体への取付部が形成されるミラーボックスを有する一眼レフカメラにおいて、前記ミラーボックスをプラスチックによって一体成形するとともに、前記ミラーボックスの後方に形成される前記カメラ本体への取付部と前記撮影レンズの取付座とを結ぶ位置に、前記ミラーの反射光をファインダー観察位置へ導くための光学部品を保持する壁部を形成し、前記取付部が三脚ネジ座の取り付けられるカメラ本体と結合されることを特徴とする一眼レフカメラ。」
（ｉｉ）発明の詳細な説明の訂正
ア.明細書第３頁第１９行〜第４頁第７行(特許掲載公報第３欄第２８〜４５行)を「〔課題を解決するための手段〕請求項１に記載の発明は、撮影レンズの取付座、可動ミラーを支持するミラー取付部、カメラ本体への取付部が形成されるミラーボックスを有する一眼レフカメラにおいて、前記ミラーボックスをプラスチックによって一体成形するとともに、前記ミラー取付部が形成される側面上端部分に、前記ミラーの反射光をファインダー観察位置へ導くための光学部品を保持する壁部を形成し、前記取付部が三脚ネジ座の取り付けられるカメラ本体と結合されることを特徴としている。
請求項２に記載の発明は、撮影レンズの取付座、可動ミラーを支持するミラー取付部、カメラ本体への取付部が形成されるミラーボックスを有する一眼レフカメラにおいて、前記ミラーボックスをプラスチックによって一体成形するとともに、前記ミラーボックスの後方に形成される前記カメラ本体への取付部と前記撮影レンズの取付座とを結ぶ位置に、前記ミラーの反射光をファインダー観察位置へ導くための光学部品を保持する壁部を形成し、前記取付部が三脚ネジ座の取り付けられるカメラ本体と結合されることを特徴としている。」と訂正する。
イ.明細書第２１頁第１３行〜第２２頁第５行(特許掲載公報第１０欄第３８〜５０行)を「〔発明の効果〕請求項１に記載の発明は、撮影レンズの取付座、可動ミラーを支持するミラー取付部、カメラ本体への取付部が形成されるミラーボックスを有する一眼レフカメラにおいて、前記ミラーボックスをプラスチックによって一体成形するとともに、前記ミラー取付部が形成される側面上端部分に、前記ミラーの反射光をファインダー観察位置へ導くための光学部品を保持する壁部を形成し、前記取付部が三脚ネジ座の取り付けられるカメラ本体と結合されることにより、従来の金属製のミラーボックスと同等の強度を得ることができるとともに、ミラーの反射光をファインダー観察位置へ導くための光学部品を直接ミラーボックスに保持することができるので、軽量且つ高精度な一眼レフカメラを提供することができる。請求項２に記載の発明は、撮影レンズの取付座、可動ミラーを支持するミラー取付部、カメラ本体への取付部が形成されるミラーボックスを有する一眼レフカメラにおいて、前記ミラーボックスをプラスチックによって一体成形するとともに、前記ミラーボックスの後方に形成される前記カメラ本体への取付部と前記撮影レンズの取付座とを結ぶ位置に、前記ミラーの反射光をファインダー観察位置へ導くための光学部品を保持する壁部を形成し、前記取付部が三脚ネジ座の取り付けられるカメラ本体と結合されることにより、従来の金属製のミラーボックスと同等の強度を得ることができるとともに、ミラーの反射光をファインダー観察位置へ導くための光学部品を直接ミラーボックスに保持することができるので、軽量且つ高精度な一眼レフカメラを提供することができる。」と訂正する。
（ｉｉｉ）訂正の目的の適否及び拡張・変更の存否等
　上記訂正（ｉ）は、特許請求の範囲の減縮に該当し、願書に添付した明細書又は図面に記載された事項の範囲内のものであり、実質的に特許請求の範囲を拡張又は変更するものではなく、新規事項の追加もない。また、上記訂正（ｉｉ）は、特許請求の範囲の訂正に付随する訂正であるから、発明の詳細な説明の欄中の明瞭でない記載の釈明を目的とするものであり、願書に添付した明細書又は図面に記載された事項の範囲内のものであり、新規事項の追加もない。
（ｉｖ）独立特許要件の判断
（引用刊行物に記載された発明）
訂正前明細書の請求項１に係る発明に対して、
当審が通知した取消理由で引用した（特開昭６０−２０８７４０号公報）（以下「第１引用例」という。）には、レンズマウント６のマウント取付部４２，観察ミラー１を支持する長溝２７，支持部材２９、シャッタ取付枠１２と一体のミラーボックス１１を有する一眼レフカメラにおいて、前記ミラーボックス１１を金属ダイカストによって一体成形するとともに、前記長溝２７，支持部材２９が形成される面とは異なる側板１１ａ上端部分で、前記ミラーボックス１１の後方に形成されるシャッタ取付枠１２と前記マウント取付部４２とを結ぶ位置に、壁部を形成したものが記載され、
同じく引用した特公昭６４−１１９３２号公報（以下、「第２引用例」という。）には、マウント９３、ミラー９０を支持するピン９１、カメラ本体への取付部が形成されるミラーボックスを有する一眼レフカメラにおいて、ピン９０が形成される側面上端部分で、ミラーボックスの後方に形成される前記カメラ本体への取付部と前記マウント９３とを結ぶ位置に、壁部を形成したものが記載され、同じく引用した実願昭６１−１３８９９０号（実開昭６３−４５５４０号）のマイクロフイルム（以下、「第３引用例」という。）には、ミラーボックスとシャッタ基板１とをプラスチック材料によって一体に成形した一眼フレックスカメラが記載されている。
〈第２９条第２項〉
（請求項１に係る発明についての対比・判断）
　本件請求項１に係る発明と第１引用例に記載の発明とを対比すると、本件請求項１に係る発明の「取付座」、「可動ミラー」、「ミラー取付部」、「ミラーボックス」は、夫々第１引用例に記載の発明の「マウント取付部４２」、「観察ミラー１」、「長溝２７、支持部材２９」、「ミラーボックス１１」に相当するから、両者は、撮影レンズの取付座、可動ミラーを支持するミラー取付部、ミラーボックスを有する一眼レフカメラにおいて、前記ミラーボックスを一体成形するとともに、前記ミラー取付部が形成される面上端部分に、壁部を形成したもので一致し、
Ａ本件請求項１に係る発明においては、カメラ本体への取付部が形成されるミラーボックスであるのに対して、第１引用例に記載の発明は、取付部を有せず、シャッタ取付枠１２とミラーボックス１１とが一体である点、
Ｂ本件請求項１に係る発明においては、ミラーボックスをプラスチックによって一体成形するのに対して、第１引用例に記載の発明は、ミラーボックス１１を金属ダイカストによって一体成型する点、
Ｃ壁部の形成される位置が、本件請求項１に係る発明においては、ミラー取付部が形成される側面上端部分であるのに対して、第１引用例に記載の発明は、前記長溝２７，支持部材２９が形成される面とは異なる側板１１ａ上端部分である点、
Ｄ本件請求項１に係る発明においては、壁部が、前記ミラーの反射光をファインダー観察位置へ導くための光学部品を保持するのに対して、第１引用例に記載の発明は、そのような記載が無い点
Ｅ本件請求項１に係る発明においては、前記取付部が三脚ネジ座の取り付けられるカメラ本体と結合されるのに対して、第１引用例に記載の発明は、そのような記載が無い点で相違する。
　本件請求項１に係る発明と第２引用例に記載の発明とを対比すると、本件請求項１に係る発明の「取付座」、「可動ミラー」、「ミラー取付部」は、夫々第２引用例に記載の発明の「マウント９３」、「ミラー９０」、「ピン９１」に相当するから、両者は、撮影レンズの取付座、可動ミラーを支持するミラー取付部、カメラ本体への取付部が形成されるミラーボックスを有する一眼レフカメラにおいて、前記ミラー取付部が形成される側面上端部分に、壁部を形成したもので一致し、
Ｂ’本件請求項１に係る発明においては、ミラーボックスをプラスチックによって一体成形するのに対して、第２引用例に記載の発明は、そのような記載が無い点、
Ｄ本件請求項１に係る発明においては、壁部が、前記ミラーの反射光をファインダー観察位置へ導くための光学部品を保持するのに対して、第２引用例に記載の発明は、そのような記載が無い点
Ｅ本件請求項１に係る発明においては、前記取付部が三脚ネジ座の取り付けられるカメラ本体と結合されるのに対して、第２引用例に記載の発明は、そのような記載が無い点で相違する。
　本件請求項１に係る発明と第３引用例に記載の発明とを対比すると、両者は、ミラーボックスをプラスチックによって一体成形した点で一致し、その余の構成が相違する。
　してみると、各刊行物には、本件請求項１に係る発明の構成の一部である、上記、Ｄ、Ｅが開示されていない。
　本件請求項１に係る発明は、これらの構成を有することによって、明細書記載の効果を奏するものであるから、本件請求項１に係る発明が上記各刊行物に記載された発明であるとも、各刊行物に基づいて当業者が容易に推考できたものであるとも言えない。
（請求項２に係る発明についての対比・判断）
　本件請求項２に係る発明と第１引用例に記載の発明とを対比すると、本件請求項１に係る発明の「取付座」、「可動ミラー」、「ミラー取付部」、「ミラーボックス」は、夫々第１引用例に記載の発明の「マウント取付部４２」、「観察ミラー１」、「長溝２７、支持部材２９」、「ミラーボックス１１」に相当するから、両者は、撮影レンズの取付座、可動ミラーを支持するミラー取付部、ミラーボックスを有する一眼レフカメラにおいて、前記ミラーボックスを一体成形するとともに、前記ミラーボックスの後方に形成されるシャッタ取付枠１２と前記撮影レンズの取付座とを結ぶ位置に、壁部を形成したもので一致し、
Ａ本件請求項２に係る発明においては、カメラ本体への取付部が形成されるミラーボックスであるのに対して、第１引用例に記載の発明は、取付部を有せず、シャッタ取付枠１２とミラーボックス１１とが一体である点、
Ｂ本件請求項２に係る発明においては、ミラーボックスをプラスチックによって一体成形するのに対して、第１引用例に記載の発明は、ミラーボックス１１を金属ダイカストによって一体成型する点、
Ｃ’壁部の形成される位置が、本件請求項２に係る発明においては、ミラーボックスの後方に形成される前記カメラ本体への取付部と前記撮影レンズの取付座とを結ぶ位置であるのに対して、第１引用例に記載の発明は、ミラーボックス１１の後方に形成されるシャッタ取付枠と前記撮影レンズの取付座とを結ぶ位置である点、
Ｄ本件請求項２に係る発明においては、壁部が、前記ミラーの反射光をファインダー観察位置へ導くための光学部品を保持するのに対して、第１引用例に記載の発明は、そのような記載が無い点
Ｅ本件請求項２に係る発明においては、前記取付部が三脚ネジ座の取り付けられるカメラ本体と結合されるのに対して、第１引用例に記載の発明は、そのような記載が無い点で相違する。
　本件請求項２に係る発明と第２引用例に記載の発明とを対比すると、本件請求項２に係る発明の「取付座」、「可動ミラー」、「ミラー取付部」は、夫々第２引用例に記載の発明の「マウント９３」、「ミラー９０」、「ピン９１」に相当するから、両者は、撮影レンズの取付座、可動ミラーを支持するミラー取付部、カメラ本体への取付部が形成されるミラーボックスを有する一眼レフカメラにおいて、前記ミラーボックスの後方に形成される前記カメラ本体への取付部と前記撮影レンズの取付座とを結ぶ位置に、壁部を形成したもので一致し、
Ｂ’本件請求項２に係る発明においては、ミラーボックスをプラスチックによって一体成形するのに対して、第２引用例に記載の発明は、そのような記載が無い点、
Ｄ本件請求項２に係る発明においては、壁部が、前記ミラーの反射光をファインダー観察位置へ導くための光学部品を保持するのに対して、第２引用例に記載の発明は、そのような記載が無い点
Ｅ本件請求項２に係る発明においては、前記取付部が三脚ネジ座の取り付けられるカメラ本体と結合されるのに対して、第２引用例に記載の発明は、そのような記載が無い点で相違する。
　本件請求項２に係る発明と第３引用例に記載の発明とを対比すると、両者は、ミラーボックスをプラスチックによって一体成形した点で一致し、その余の構成が相違する。
　してみると、各刊行物には、本件請求項２に係る発明の構成の一部である、上記Ｄ、Ｅが開示されていない。
　本件請求項２に係る発明は、これらの構成を有することによって、明細書記載の効果を奏するものであるから、本件請求項２に係る発明が上記各刊行物に記載された発明であるとも、各刊行物に基づいて当業者が容易に推考できたものであるとも言えない。
（請求項３、４に係る発明についての対比・判断）
　本件請求項３、４に係る発明は、本件請求項１または２に係る発明の構成の一部をさらに限定したものであるから、本件請求項１、２に係る発明と同様の判断である。
　したがって、本件請求項１〜４に係る発明は特許出願の際独立して特許を受けることができない発明とすることはできない。
（ｖ）むすび
　以上のとおりであるから、上記訂正請求は、特
許法等の一部を改正する法律（平成６年法律第１１６号）附則第６条第１項の規定によりなお従前
の例によるとされる、特許法第１２０条の４第２項及び第３項で準用する第１２６条第２−４項の規定に適合するので、当該訂正を認める。
（３）特許異議の申立てについての判断
ア.申立ての理由の概要
　申立人旭光学工業　株式会社は、証拠として甲第１号証（特開昭６０−２０８７４０号公報）、甲第２号証（特公昭６４−１１９３２号公報）、甲第３号証（実願昭６１−１３８９９０号〔実開昭６３−４５５４０号公報〕のマイクロフイルム）を提出し、訂正前の請求項１〜４に係る発明は、特許法第２９条第２項の規定に違反してなされたものであるから、特許を取り消すべき旨主張している。
イ.判断
〔本件請求項１〜４に係る発明〕
　　本件請求項１〜４に係る発明は、上記（２）（ｉｖ）で示したように、取消理由通知で示した各引用例に記載された発明と同一であるとも、それらから容易に発明をすることができたものとすることができない。
ウ.むすび
　以上のとおりであるから、特許異議申立の理由
及び証拠によっては、本件請求項１〜４に係る発明の特許を取り消すことはできない。
　また、他に本件請求項１〜４に係る発明の特許を取り消すべき理由を発見しない。
　よって、結論のとおり決定する。
【異議決定日】
平成１２年７月２４日（２０００．７．２４）
【訂正の要旨】
　　　訂正の要旨
特許請求の範囲の減縮を目的として、下記（１）、（２）のように特許請求の範囲を訂正する。また、特許請求の範囲の訂正に応じて、発明の詳細な説明についても、適合性を持たせるために下記（３）、（４）のように訂正する。
（１）特許請求の範囲の請求項１を次のとおり訂正する。
「（１）撮影レンズの取付座、可動ミラーを支持するミラー取付部、カメラ本体への取付部が形成されるミラーボックスを有する一眼レフカメラにおいて、前記ミラーボックスをプラスチックによって一体成形するとともに、前記ミラー取付部が形成される側面上端部分に、前記ミラーの反射光をファインダー観察位置へ導くための光学部品を保持する壁部を形成し、前記取付部が三脚ネジ座の取り付けられるカメラ本体と結合されることを特徴とする一眼レフカメラ。」
（２）特許請求の範囲の請求項２を次のとおり訂正する。
「（２）撮影レンズの取付座、可動ミラーを支持するミラー取付部、カメラ本体への取付部が形成されるミラーボックスを有する一眼レフカメラにおいて、前記ミラーボックスをプラスチックによって一体成形するとともに、前記ミラーボックスの後方に形成される前記カメラ本体への取付部と前記撮影レンズの取付座とを結ぶ位置に、前記ミラーの反射光をファインダー観察位置へ導くための光学部品を保持する壁部を形成し、前記取付部が三脚ネジ座の取り付けられるカメラ本体と結合されることを特徴とする一眼レフカメラ。」
（３）明細書第３頁第１９行〜第４頁第７行（特許掲載公報第３欄第２８〜４５行）を「〔課題を解決するための手段〕請求項１に記載の発明は、撮影レンズの取付座、可動ミラーを支持するミラー取付部、カメラ本体への取付部が形成されるミラーボックスを有する一眼レフカメラにおいて、前記ミラーボックスをプラスチックによって一体成形するとともに、前記ミラー取付部が形成される側面上端部分に、前記ミラーの反射光をファインダー観察位置へ導くための光学部品を保持する壁部を形成し、前記取付部が三脚ネジ座の取り付けられるカメラ本体と結合されることを特徴としている。
請求項２に記載の発明は、撮影レンズの取付座、可動ミラーを支持するミラー取付部、カメラ本体への取付部が形成されるミラーボックスを有する一眼レフカメラにおいて、前記ミラーボックスをプラスチックによって一体成形するとともに、前記ミラーボックスの後方に形成される前記カメラ本体への取付部と前記撮影レンズの取付座とを結ぶ位置に、前記ミラーの反射光をファインダー観察位置へ導くための光学部品を保持する壁部を形成し、前記取付部が三脚ネジ座の取り付けられるカメラ本体と結合されることを特徴としている。」と訂正する。
（４）明細書第２１頁第１３行〜第２２頁第５行（特許掲載公報第１０欄第３８〜５０行）を「〔発明の効果〕請求項１に記載の発明は、撮影レンズの取付座、可動ミラーを支持するミラー取付部、カメラ本体への取付部が形成されるミラーボックスを有する一眼レフカメラにおいて、前記ミラーボックスをプラスチックによって一体成形するとともに、前記ミラー取付部が形成される側面上端部分に、前記ミラーの反射光をファインダー観察位置へ導くための光学部品を保持する壁部を形成し、前記取付部が三脚ネジ座の取り付けられるカメラ本体と結合されることにより、従来の金属製のミラーボックスと同等の強度を得ることができるとともに、ミラーの反射光をファインダー観察位置へ導くための光学部品を直接ミラーボックスに保持することができるので、軽量且つ高精度な一眼レフカメラを提供することができる。請求項２に記載の発明は、撮影レンズの取付座、可動ミラーを支持するミラー取付部、カメラ本体への取付部が形成されるミラーボックスを有する一眼レフカメラにおいて、前記ミラーボックスをプラスチックによって一体成形するとともに、前記ミラーボックスの後方に形成される前記カメラ本体への取付部と前記撮影レンズの取付座とを結ぶ位置に、前記ミラーの反射光をファインダー観察位置へ導くための光学部品を保持する壁部を形成し、前記取付部が三脚ネジ座の取り付けられるカメラ本体と結合されることにより、従来の金属製のミラーボックスと同等の強度を得ることができるとともに、ミラーの反射光をファインダー観察位置へ導くための光学部品を直接ミラーボックスに保持することができるので、軽量且つ高精度な一眼レフカメラを提供することができる。」と訂正する。
（５４）【発明の名称】
一眼レフカメラ
（５７）【特許請求の範囲】
（１）　撮影レンズの取付座、可動ミラーを支持するミラー取付部、カメラ本体への取付部が形成されるミラーボックスを有する一眼レフカメラにおいて、
　前記ミラーボックスをプラスチックによって一体成形するとともに、前記ミラー取付部が形成される側面上端部分に、前記ミラーの反射光をファインダー観察位置へ導くための光学部品を保持する壁部を形成
し、前記取付部が三脚ネジ座の取り付けられるカメラ本体と結合される
（２）　撮影レンズの取付座、可動ミラーを支持するミラー取付部、カメラ本体への取付部が形成されるミラーボックスを有する一眼レフカメラにおいて、
　前記ミラーボックスをプラスチックによって一体成形するとともに、前記ミラーボックスの後方に形成される前記カメラ本体への取付部と前記撮影レンズの取付座とを結ぶ位置に、前記ミラーの反射光をファインダー観察位置へ導くための光学部品を保持する壁部を形成
し、前記取付部が三脚ネジ座の取り付けられるカメラ本体と結合される
（３）　前記ミラーボックスは、ポリカーボネイトによって一体成形されることを特徴とする請求項１または２に記載の一眼レフカメラ。
（４）　前記ミラーボックスは、射出成形によって成形されることを特徴とする請求項１、２または３に記載の一眼レフカメラ。
【発明の詳細な説明】
〔産業上の利用分野〕
　本発明はミラーボツクスが組込まれた一眼レフカメラに関するものである。
〔従来の技術〕
　従来一眼レフカメラのミラーボツクスはアルミダイキヤスト又は亜鉛ダイキヤストで構成されていた。アルミダイキヤストは軽量で高強度の為に最も多用されていたが、寸法精度がシビアな所は二次加工が必要でありコストが高い欠点があった。一方、亜鉛ダイキヤストは成形寸法精度は非常に良く二次加工が不要でコストメリツトはあるが重量が重いという欠点があった。これを解決する為に特開昭５７−７９９２９号公報に記載されるようにプレスメタル骨組として強度を確保し、更にプラスチツクにインサート成形する事が提案されている。
　更に一般的に一眼レフカメラのペンタプリズムの取付けは第１８図に示す様にカメラ本体６０１にミラーボツクス６０２を取付け、該ミラーボツクス６０２にペンタホルダー６０３をビス６０４で締付けて取付ける様になっている。該ペンタホルダー６０３には測光センサー６０６、測光レンズ６０５が取付けられ更にピント板６０７とペンタプリズム６０８が取付けられ且つ位置決めされる構成になっている。該ペンタホルダー６０３は形状が複雑で寸法精度がシビアな為、プラスチツク成形品が多用されている。
〔発明が解決しようとしている課題〕
しかしながら上記従来例では二次加工が減ってコストメリツトはあるが、メタルのプレスとインサート成形の二工程が必要な事。プレスメタルの為に形状的な制限があり複雑な形状には対応できない事。プレスメタルを使用するので重量的にはまだ重い事、又、ペンタホルダーを有するのでピント板とペンタプリズムの組込位置のバラツキが発生するので撮影ピントとフアインダー観察ピントを調整する必要があった。
〔課題を解決するための手段〕
　請求項１に記載の発明は、撮影レンズの取付座、可動ミラーを支持するミラー取付部、カメラ本体への取付部が形成されるミラーボツクスを有する一眼レフカメラにおいて、前記ミラーボックスをプラスチックによって一体成形するとともに、前記ミラー取付部が形成される側面上端部分に、前記ミラーの反射光をファインダー観察位置へ導くための光学部品を保持する壁部を形成
し、前記取付部が三脚ネジ座の取り付けられるカメラ本体と結合される
　請求項２に記載の発明は、撮影レンズの取付座、可動ミラーを支持するミラー取付部、カメラ本体への取付部が形成されるミラーボックスを有する一眼レフカメラにおいて、前記ミラーボックスをプラスチックによって一体成形するとともに、前記ミラーボックスの後方に形成される前記カメラ本体への取付部と前記撮影レンズの取付座とを結ぶ位置に、前記ミラーの反射光をファインダー観察位置へ導くための光学部品を保持する壁部を形成
し、前記取付部が三脚ネジ座の取り付けられるカメラ本体と結合される
〔実施例〕
　第１図〜第３図は、本発明の実施例を示し、第１図および第２図は一眼レフカメラにおいて本発明に係る部分の分解斜視図、第３図はその断面図である。
　図中５０１は一眼レフカメラのミラーボツクスを形成するとともに、後述する種々の部材を保持する基台となる本体ブロツクである。この本体ブロツクはグラスフアイバーとカーボンフアイバーで強化されたポリカーボネイトより成り、射出成形によって加工することにより極めて高い寸法精度を得ることができる。
　表１は本体ブロツク５０１の材料である強化ポリカーボネイトと従来ミラーボツクスの構成部材の材料として多用されて来た亜鉛合金とアルミ合金についての特性を比較したものである。ここでＰＣ−ＣＦ２０／ＧＦ１０は強化ポリカーボネイト、ＺＤＣは亜鉛合金であり、ＡＤＣはアルミニウム合金である。一般的にＡＤＣが多用されているが精度が必要な所は二次加工を行っている。ＺＤＣは寸法精度が良いので二次加工は不要だが重い欠点がある。
　表に示したように、３者の熱膨張係数はＰＣ−ＣＦ２０／ＧＦ１０＜ＺＤＣ＜ＺＤＣの順であるが、絶対値的にＺＤＣでも満足している。縦弾性係数はＰＣ−ＣＦ２０／ＧＦ１０＜ＡＤＣ＜ＺＤＣの順であるが、ＰＣ−ＣＦ２０／ＧＦ１０とＡＤＣとで約６倍と大きく差がある。引張強さではＰＣ−ＣＦ２０／ＧＦ１０＜ＺＤＣ＜ＡＤＣの順であるが、ＰＣ−ＣＦ２０／ＧＦ１０とＺＤＣとで約２倍の差がある。つまり従来のＺＤＣ又はＡＤＣで作られていた一眼レフカメラのミラーボツクスを、強化ポリカーボネイトに置き換えれば温度によるピント変化は問題なく、しかも重量がＺＤＣに比べて約１／５になるものの外力による変形か約６倍、破壊強度が約１／２になることになる。すなわち、強化ポリカーボネイトでは温度変化、重量は良くなるが変形、強度が悪くなることになる。しかし変形に対しては外力をかけたままでの撮影は常識的にあり得ないので、外力を取り除いた状態で元に戻っていれば問題ない。又、強度に対しては破壊ケ所を２倍の厚さに補強すれば良い。第１図に示した本体ブロツクは引張り強さが低いという弱点を補うために形状の改善を行い高い寸法精度と軽量化を実現したものであり以下これに組付けられる部材とともに説明を加える。
　まず、本発明による本体ブロツク５０１とカメラの基体５１０との結合について説明する。
　第１５図において５１０はフイルムパトローネ収納部、電池収納部、フイルム巻取部、接眼レンズ保持部等を具備したカメラの基体であって、本体ブロツク５０１と同様、ガラス繊維等で強化されたポリカーボネイトより一体成形されている。
　本体ブロツク５０１には、第１図〜第３図に示すように、下方よりＡＦユニツト５１１が、後方より液晶表示ユニツト５０３とシヤツターユニツト５０７が、前方より撮影レンズとの通信用接点を兼ね備えたストロボ調光ユニツトが組付けられ、さらに前方より、マウント押えバネ５１３とスペーサー５１４を挟み込んでビス１８によりマウント５１５が結合され、この状態にて、基体５１０との結合が行われる。第１１図と第１６図は本体ブロツク５０１における基体結合位置の説明図で、前方視である第１１図に示した５０１ｈ〜ｋが本体ブロツク５０１に設られたマウント取付用のめねじ、５０１ｌ、５０１ｍが基体との結合ビス５１６を通すための貫通孔、また、後方視である第１６図に示した５０１ｏ、５０１ｐは基体取付用のめねじ、５０１ｎ、５０１ｒは基体との位置決め穴である。
一方、基体５１０には第１５図のようにねめじ５１０ｃ、５１０ｄと貫通孔５１０ｅ、５１０ｆが設けられ、さらに、本体ブロツク５０１の位置決め穴５０１ｎ、５０１ｒに対応した位置に位置決めピン５１０ａ，５１０ｂが配設され、これらが嵌合した状態において、ビス５１６とビス５１７によって本体ブロツク５０１と基体５１０との結合が成される。
　次に、本体ブロツク５０１と基体５１０とを結合した構造体に撮影レンズを装着したときの応力の発生について説明する。
　第１７図は、マウント５１５に撮影レンズ５２１を装着した状態を示し、図中、Ｆは撮影レンズの重量、５１９は基体に取付けられた三脚ネジ座、５２０はその固定ビス、５２２は三脚の雲台等でカメラの固定物、二点鎖線はカメラの外装部材である。このようにカメラが三脚、あるいは撮影者によって支えられているとき、撮影レンズの重量によって、本体ブロック５０１には、主にＥ部において、圧縮応力、Ｇ部において引張応力が生じる。撮影レンズの重量は１ｋｇを超えるものもあり、特にレンズ装着状態において、何らかの衝撃が加ったときには、本体ブロック５０１に加わる力は極めて大きくなる。
　先に示したように、亜鉛合金型のミラーボツクスにおいては、その引張強さが大きいために、このような力に対しても破壊を生じることはないが、同一形状にて材質を強化ポリカーボネイトに置き換えた場合には、通常Ｇ部において応力が引張強さを上まわり、ここが破損する。本発明においては、ミラーボツクスと、ペンタプリズム３１１の保持部材とを一体化することによって、強度の向上を図り、高精度なカメラの構造体を実現している。図を用いて以下に説明する。
　第１２図は、本体ブロツク５０１の第２図に示したＡ−Ａの位置における断面であり、図中３１１はペンタブリズム、３１０はピントグラスである。図において、５０１ｓ、５０１ｔは、マウント上部の取付ビス５１８ａと基体５１０−本体ブロツク５０１の結合ビス５１７とを結ぶ位置に設けられた本体ブロツクの壁部である。これにより、最も引張り力の作用する部分が補強され第１７図に示したＧ部の引張り応力を減少させるのに極めて効果がある。実験によれば、この壁部５０１ｓ、５０１ｔを付加することによって、強化ポリカーボネイト製であってもこのような補強がない、亜鉛合金製のミラーボツクスと同程度に強度アツプされることが確認されている。
　また、本体ブロツク５０１が樹脂製であることによる衝撃吸収性を利用して、前記壁部５０１ｓ、５０１ｔの内側にペンタプリズム３１１を直接保持することが可能となっている。従って従来のように、ペンタプリズム保持部材を別に設ける必要がなく、コスト的にも有利である。
　さらに、本体ブロツクが射出成形によって高精度に成形できるため、カメラのフランジバツクの調整は不要となり、組立工数の大巾な削減が図られている。
　次に、本体ブロツク５０１のミラーユニツト保持機構およびフアインダー表示部材の保持構造について図を用いて説明する。
　まず、第１図および第３図において、５０２はミラーユニツトである。ミラーユニツトは撮影レンズからの光束をフアインダー系と焦点検出系に分割する可動ハーフミラーと可動ハーフミラーに対して揺動可能で、ミラーボツクス下底部のオートフオーカスユニツトに光束を導くサブミラーより成っている。第４図、第５図は第１図、第３図に示したミラーユニツトの本体ブロツク５０１による支持方法を示すための図で、それぞれミラーボツクスの断面を左右から見たものである。図において本体ブロツク５０１のミラー機構を組込む部分はミラーボツクス１２０として簡略化して示している。
　図中１６はハーフミラー３０９の保持枠で後述するように軸１６ｂ、１６ｄによりミラーボツクス１２０に対し、揺動可能に支持され、駆動ピン１６ａに加わる矢印Ｈ方向のバネ付勢力により本体ブロツクに一体成形されたストツパー５０１ａに押し当てられている。３１５はサブミラーであり、サブミラー受板２５に固着され、ハーフミラー保持枠１６に一体的に設けられた軸１６ｃで揺動可能に支持されている。バネ２９は、バネ掛部１６ｄにて支持され、腕部の一端は、ハーフミラー保持枠１６に当接し、他端でサブミラー受板２５の作用部２５ｃに摺接する。これによりミラーダウン位置でサブミラー受板２５をハーフミラー保持枠１６に対して開き方向に付勢し、不図示のミラーアツプ位置でサブミラー受板２５を閉じ方向に付勢するトグル反転機構を形成している。
　１２１はミラーボツクス側面に植設された偏心調整可能なピンであり、サブミラー受板２５の第１のアーム部２５ａと当接することによってハーフミラー２６のフアインダー観察状態での開き角を決定すると共に、撮影退避方向への移動に際してはサブミラー受板２５の第２のアーム部２５ｂに当接し、前述のトグル反転機構の反転動作を生じさせる役割を持つものである。ここで、１２１ａは偏心ピンのフランジであり、不図示のカシメ足部を中心として、偏心ピン１２１を回転させ、サブミラーの角度調整を行ったときに、偏心ピン１２１の倒れを防いでいる。
　ミラーボツクス１２０の両側の壁には、第６図に示すようなＵ型の溝部１２０ｄ、１２０ｂが成形されており、前述したハーフミラー保持枠１６の軸１６ｄ、１６ｂがそれぞれ落ち込み回転可能に嵌合するよう構成されている。また、１２２、１２３はＵ型溝の開口部を塞ぐための押え板で、金属薄板より成り、ビス１２４、１２５によってミラーボツクス１２０に取付けられ、前記Ｕ型溝とともに軸受を構成している。
　以上のように、ハーフミラー保持枠はＵ型溝部１２０ｄ、１２０ｂとストツパー５０１ａの３点で位置決めされており、このいずれもが本体ブロツクに一体に成形されているために、前記のように、本体ブロツク５０１の材質を強化ポリカーボネイトとすることによつて、これらの位置関係を極めて正確に押えることが可能となっている。
　この結果、従来行われていた、ハーフミラーの角度調整は不必要となり、そのための調整機構も廃止されている。次に、本体ブロツク５０１におけるフアインダー内、スーパーインポーズ表示機構の保持方法について説明を加える。第７図は第１図〜第３図に示した要素のうち、スーパーインポーズ表示を構成する主要部を示した図である。
　図において、３１３はスーパーインポーズ測距視野表示のための投光レンズである。３つの表示用ＬＥＤ（第３図にその１つを図示）より発した光束をハーフミラー３０９に導くための２つの全反射面と、第３図、第８図にて示したマスク５０８の像をハーフミラー３０９を介してピントグラス３１０上に形成するためのフレネルレンズ部３１３ａとを有している。なお、上記の表示用のＬＥＤはそれぞれ樹脂製の透明パツケージ３１４ｂ、ｃ、ｄによって封止されており、本体ブロツク５０１が前面上部の３つの溝部にこれらを嵌込むことによって保持している。さらに、上記マスク５０８は、第８図に示したように、３つのＬＥＤパツケージ３１４ｂ、ｃ、ｄに対応した３つの開口５０８ｂ、５０８ｃ、５０８ｄを有するもので、ＬＥＤパツケージと同様、本体ブロツクの位置決めピン５０１ｂによって直接固定されている。
　第１１図は、本体ブロツク５０１における前記投光レンズ３１３の保持方法を説明するための図で、本体ブロツク５０１を第１図におけるＸ方向から見た平面図である。本体ブロツクの前面上部には、位置決めピン５０１ｃ、５０１ｄが植設され、一方、投光レンズ３１３にはその翼部３１３ｃ、３１３ｄに位置決め孔３１３ｅ、３１３ｆが設けられている。第１図に示したように投光レンズ３１３は本体ブロツク５０１の前方より組込まれ、本体ブロツク５０１の位置決めピンと投光レンズ３１３の位置決め孔とが嵌合することによって両者は結合される。このとき、本体ブロツク５０１の開口５０１ｅから、投光レンズ３１３の光入射面３１３ｂがペンタプリズム３１１の方向に進入し、前記ＬＥＤ光を取り込むことが可能となっている。
　次に第１２図、第１３図を用いて、ＬＥＤ光の被照射物であるピントグラフ３１０の保持方法について説明する。第１２図は、本体ブロツク５０１の第２図に示したＡ−Ａの位置における断面、第１３図は、第３図Ｂ部の詳細図である。第１図にて示したように、ピントグラス３１０は本体ブロツク５０１の撮影レンズ装着側の開口を通してペンタプリズム３１１の下方位置に組込まれ、押えバネ５０５によって保持される。第１２図において５０１ｆ、５０１ｇが本体ブロツク５０１に形成されたピントグラス位置決め面で、ここに対し、ピントグラス３１０の４つの基準面３１０ｉ−１、３１０ｉ−２が当接するようになっている。またピントグラス３１０の側面には２つの突出部３１０ｊ、３１０ｋが配設され、第１３図に示すように押えバネ５０５の作用部５０５ａ、５０５ｂが当接する。押えバネ５０５を本体ブロツクと遮光板５０４のそれぞれに形成されたバネ掛け部に組込むことによって、ピントグラス３１０を第１３図Ｂ方向に付勢し、Ｃ方向の分力によって前記位置決め面５０１ｆ、５０１ｇと基準面３１０ｉ−１、３１０ｉ−２とを密着させている。また、ピントグラス３１０の側面には凹部３１０ｈが形成され、押えバネ５０５による付勢力のＤ方向成分によって、ピントグラス３１０は本体ブロツク５０１のピントグラス位置決め面５０１ｈ（第３図示）に片寄せされるとともに、この位置決め面に形成された不図示の凸部に対し、前記ピントグラスの凹部３１０ｈが嵌合し、ピントグラスの光軸と直交する方向の位置が確定する。
　以上のような構成による、スーパーインポーズ表示の動作を次に説明する。
　ＬＥＤ２、３、４より発した光束は、まず、マスク５０８の開口５０８ｂ、ｃ、ｄを通り投光レンズ３１３の面３１３ｂより入射する。投光レンズ３１３の内部では２回全反射して、フレネルレンズ部３１３ａよりハーフミラー３０９の方向に射出する。ハーフミラー３０９で反射した光束は、第１４図に示すようにピントグラフのマツト面３１０ｇ上にマスク５０８の開口の像５０９ｂ、５０９ｃ、５０９ｄを形成する。ピントグラフのマツト面上には第９図に示すような３つの測距視野枠３１０ｂ、３１０ｃ、３１０ｄが多数の微小プリズムの集合体として形成されており、第１０図にて断面で示すように、この微小プリズムに入射する光線（例えば３２２）のみが上方向に偏向され、ペンタプリズム３１１を介して接眼レンズに導かれる。また微小プリズムに入射しなかったＬＥＤ光（例えば３２３）はマツト面３１０ｇにて拡散した後、第７図にて示したペンタプリズム３１１の黒塗り面３１１ａにて吸収され、接眼レンズ３１２には到達しない。したがって、ＬＥＤ２、３、４を選択的に点燈すれば、それに対応したピントグラス上の測距枠がＬＥＤの発光色に色変化する。
　ここで、測距枠を選択的に色変化させるためには、第１４図にて示したＬＥＤ光の照明範囲すなわちマスク像５０９ｂ、５０９ｃ、５０９ｄが隣接する測距枠にかからないことが必要であり、また、一つの測距枠を均一に色変化させるためには、マスク像５０９ｂ、５０９ｃ、５０９ｄが対応する測距枠から外れないことが必要である。このように、スーパーインポーズ表示の品位を高めるためには、マスク像５０９ｂ、ｃ、ｄの位置を保証することが重要である。マスク像５０９ｂ、ｃ、ｄの位置は、発光部（ＬＥＤ）、照明範囲規制部材（マスク５０８）、結像系（投光レンズ３１３）、光偏向手段（ミラーユニツト５０２）、被照明物（ピントグラフ３１０）の位置に依って敏感に変化するため、それぞれの構成要素に対し極めて厳しい位置精度が要求される。本実施例においては、前述したように、本体ブロツク５０１が、これらすべての要素を直接保持するように構成したことにより上記のような不具合を生じず、高品位なスーパーインポーズ表示を実現している。
　また、可動ハーフミラー３０９、ピントグラス３１０の位置精度が高いこと、と前述したフランジバツクが正確に保証できることによる副次的効果として、フアインダーピント精度の向上がある。
〔発明の効果〕
　請求項１に記載の発明は、撮影レンズの取付座、可動ミラーを支持するミラー取付部、カメラ本体への取付部が形成されるミラーボックスを有する一眼レフカメラにおいて、前記ミラーボックスをプラスチックによって一体成形するとともに、前記ミラー取付部が形成される側面上端部分に、前記ミラーの反射光をファインダー観察位置へ導くための光学部品を保持する壁部を形成し、前記取付部が三脚ネジ座の取り付けられるカメラ本体と結合されることにより、従来の金属製のミラーボックスと同等の強度を得ることができるとともに、ミラーの反射光をファインダー観察位置へ導くための光学部品を直接ミラーボックスに保持することができるので、軽量且つ高精度な一眼レフカメラを提供することができる。
　請求項２に記載の発明は、撮影レンズの取付座、可動ミラーを支持するミラー取付部、カメラ本体への取付部が形成されるミラーボックスを有する一眼レフカメラにおいて、前記ミラーボックスをプラスチックによって一体成形するとともに、前記ミラーボックスの後方に形成される前記カメラ本体への取付部と前記撮影レンズの取付座とを結ぶ位置に、前記ミラーの反射光をファインダー観察位置へ導くための光学部品を保持する壁部を形成し、前記取付部が三脚ネジ座の取り付けられるカメラ本体と結合されることにより、従来の金属製のミラーボックスと同等の強度を得ることができるとともに、ミラーの反射光をファインダー観察位置へ導くための光学部品を直接ミラーボックスに保持することができるので、軽量且つ高精度な一眼レフカメラを提供することができる。
【図面の簡単な説明】
　第１図および第２図は実施例としてのカメラの分解斜視図、
　第３図は光軸方向断面図、
　第４図〜第６図はミラー取付部を表した図、
　第７図〜第１０図はフアインダー内スーパーインポーズを表す図、
　第１１図はマウント取付面を表す図、
　第１２図は光軸方向の断面図、
　第１３図はピント板の取付部を表す図、
　第１４図はピント板上の照明範囲を表す図、
　第１５図はカメラ本体の斜視図、
　第１６図は後面から見た平面図、
　第１７図はレンズ装着状態での光軸方向断面図、
　第１８図は従来例を示す斜視図である。
　５０１……ミラーボツクス本体ブロツク
　５０２……ミラーユニツト
　５０７……シヤツターユニツト
　５１１……マウント
　３１０……ピントグラス
　３１１……ペンタプリズム
　３１３……投光レンズ
　３１４……ＬＥＤ